(57)【特許請求の範囲】
【請求項１】
所定期間内で被介護者の介護を行う介護者の識別情報および介護される被介護者の識別情報を受け付ける識別情報受付手段と、
前記識別情報受付手段により受け付けられた介護者の識別情報および被介護者の識別情報に基づいて前記所定期間内の介護計画を自動的に作成する作成手段と、
作成された前記所定期間内の介護計画を出力する出力手段と、
各々の介護者により被介護者に対して行われた前記所定期間内の実際の介護内容に係る情報を受け付ける介護内容受付手段と、
前記作成手段により作成された前記所定期間内の介護計画と、前記介護内容受付手段により受け付けられた前記所定期間内の実際の介護内容との相関を点数として算出するスコアリング手段と、
を備えた、介護システム。
【請求項２】
各々の介護者による被介護者に対する介護履歴を記憶する記憶部を更に備え、
前記作成手段は、前記記憶部に記憶されている、各々の介護者による被介護者に対する介護履歴も参照して、前記所定期間内の介護計画を自動的に作成する、請求項１記載の介護システム。
【請求項３】
前記介護履歴は、所定の業務について介護にかかった時間を含み、
前記作成手段は、前記記憶部に記憶されている、所定の業務について各々の介護者による被介護者に対する介護にかかった時間も参照して、前記所定期間内の介護計画を自動的に作成する、請求項２記載の介護システム。
【請求項４】
被介護者の状態に係る情報を受け付ける状態受付手段を更に備え、
前記作成手段は、前記状態受付手段により受け付けられた被介護者の状態に係る情報も参照して、前記所定期間内の介護計画を自動的に作成する、請求項１乃至３のいずれか一項に記載の介護システム。
【請求項５】
介護者の力量に係る情報を受け付ける力量受付手段を更に備え、
前記作成手段は、前記力量受付手段により受け付けられた介護者の力量に係る情報も参照して、前記所定期間内の介護計画を自動的に作成する、請求項１乃至４のいずれか一項に記載の介護システム。
【請求項６】
所定期間内で被介護者の介護を行う介護者の識別情報、介護される被介護者の識別情報、前記作成手段により作成された介護計画および前記スコアリング手段により算出された点数を含む教師データを用い、所定期間内で被介護者の介護を行う介護者の識別情報および介護される被介護者の識別情報を入力、介護計画を出力とする学習済モデルを機械学習により生成するモデル生成手段を更に備え、
前記作成手段は、前記モデル生成手段により生成された学習済モデルを用いて、前記所定期間内の介護計画を自動的に作成する、請求項１乃至５のいずれか一項に記載の介護システム。
【請求項７】
所定期間内で被介護者の介護を行う介護者の人数に係る情報および介護される被介護者の人数に係る情報を受け付ける人数情報受付手段と、
前記人数情報受付手段により受け付けられた介護者の人数および被介護者の人数に基づいて前記所定期間内の介護計画を自動的に作成する作成手段と、
作成された前記所定期間内の介護計画を出力する出力手段と、
各々の介護者により被介護者に対して行われた前記所定期間内の実際の介護内容に係る情報を受け付ける介護内容受付手段と、
前記作成手段により作成された前記所定期間内の介護計画と、前記介護内容受付手段により受け付けられた前記所定期間内の実際の介護内容との相関を点数として算出するスコアリング手段と、
を備えた、介護システム。
【請求項８】
所定期間内で被介護者の介護を行う介護者の識別情報および介護される被介護者の識別情報を受け付けるステップと、
受け付けられた介護者の識別情報および被介護者の識別情報に基づいて前記所定期間内の介護計画を自動的に作成するステップと、
作成された前記所定期間内の介護計画を出力するステップと、
各々の介護者により被介護者に対して行われた前記所定期間内の実際の介護内容に係る情報を受け付けるステップと、
前記作成手段により作成された前記所定期間内の介護計画と、前記介護内容受付手段により受け付けられた前記所定期間内の実際の介護内容との相関を点数として算出するステップと、
を備えた、介護計画作成方法。
【請求項９】
所定期間内で被介護者の介護を行う介護者の人数に係る情報および介護される被介護者の人数に係る情報を受け付けるステップと、
受け付けられた介護者の人数および被介護者の人数に基づいて前記所定期間内の介護計画を自動的に作成するステップと、
作成された前記所定期間内の介護計画を出力するステップと、
各々の介護者により被介護者に対して行われた前記所定期間内の実際の介護内容に係る情報を受け付けるステップと、
前記作成手段により作成された前記所定期間内の介護計画と、前記介護内容受付手段により受け付けられた前記所定期間内の実際の介護内容との相関を点数として算出するステップと、
を備えた、介護計画作成方法。
【請求項１０】
コンピュータの制御部により実行されるプログラムであって、
前記制御部がプログラムを実行することにより、
所定期間内で被介護者の介護を行う介護者の識別情報および介護される被介護者の識別情報を受け付け、
受け付けられた介護者の識別情報および被介護者の識別情報に基づいて前記所定期間内の介護計画を自動的に作成し、
作成された前記所定期間内の介護計画を出力し、
各々の介護者により被介護者に対して行われた前記所定期間内の実際の介護内容に係る情報を受け付け、
前記作成手段により作成された前記所定期間内の介護計画と、前記介護内容受付手段により受け付けられた前記所定期間内の実際の介護内容との相関を点数として算出する、
プログラム。
【請求項１１】
コンピュータの制御部により実行されるプログラムであって、
前記制御部がプログラムを実行することにより、
所定期間内で被介護者の介護を行う介護者の人数に係る情報および介護される被介護者の人数に係る情報を受け付け、
受け付けられた介護者の人数および被介護者の人数に基づいて前記所定期間内の介護計画を自動的に作成し、
作成された前記所定期間内の介護計画を出力し、
各々の介護者により被介護者に対して行われた前記所定期間内の実際の介護内容に係る情報を受け付け、
前記作成手段により作成された前記所定期間内の介護計画と、前記介護内容受付手段により受け付けられた前記所定期間内の実際の介護内容との相関を点数として算出する、
プログラム。
【発明の詳細な説明】
【技術分野】
【０００１】
本発明は、介護施設や病院施設における介護職員等の介護者による被介護者への介護を支援するための介護システム、介護計画作成方法およびプログラムに関する。
【背景技術】
【０００２】
介護施設や病院施設では、介護職員等の介護者を被介護者がいつでも呼ぶことができるよう被介護者の部屋にコール機やスイッチ等が設置されている。また、介護職員等の介護者は、介護施設や病院施設内では携帯端末を常に所持しており、被介護者がコール機で介護者を呼んだりスイッチを押したりすると、携帯端末には被介護者が呼んでいる旨の表示がなされたり音声が出されたりする。また、被介護者がコール機で介護者を呼んだりスイッチを押したりすると、介護施設や病院施設の事務所に設置されている表示板等にも、被介護者が呼んでいる旨が表示される。
【０００３】
従来の介護施設の全体構成について図１０を用いて説明する。図１０に示すように、介護施設は、利用者である被介護者の部屋１１０と、事務室１３０とに区画されており、部屋１１０には、ドアライト１１４、コール機１１６、スイッチ１１８等が設置されている。これらのドアライト１１４、コール機１１６、スイッチ１１８等はルーター１１２に接続されており、このルーター１１２はＬＡＮケーブル等により主装置１４０に接続されている。また、事務室１３０には表示板１３２および電話機１３６等が設置されている。これらの表示板１３２および電話機１３６等はＬＡＮケーブルにより主装置１４０に接続されている。また、介護施設では介護職員等の介護者がスマートフォン、タブレットＰＣ等の携帯端末１２０を常に所持するようになっている。また、介護施設内には複数のＷｉｆｉルーター１２２等が設置されており、介護者が所持する携帯端末１２０はＷｉｆｉルーター１２２を介して主装置１４０に接続されている。
【０００４】
利用者である被介護者の部屋１１０において、ドアライト１１４は部屋１１０のドア等を照射するようになっている。このようなドアライト１１４は主装置１４０を介して遠隔でスイッチのオン／オフの切換を行うことができるようになっている。また、部屋１１０にいる被介護者はコール機１１６によって、主装置１４０を介して、携帯端末１２０を操作する介護者や事務室１３０で電話機１３６を操作する介護者と通話を行うことができるようになっている。また、部屋１１０にいる被介護者がスイッチ１１８を押すと、被介護者が部屋１１０で呼んでいるという情報が主装置１４０を介して表示板１３２等に伝達される。このことにより、被介護者が部屋１１０で呼んでいるという情報が表示板１３２等に表示される。また、被介護者が部屋１１０で呼んでいるという情報が主装置１４０を介して介護者が所持する携帯端末１２０に伝達されるようになっている。
【０００５】
上述したように、介護施設内では、介護職員である介護者はＰＨＳ等の携帯端末１２０を常に所持するようになっており、被介護者がコール機１１６で介護者を呼んだりスイッチ１１８を押したり、あるいはＡ接点・Ｂ接点出力を有するセンサにより検知が行われると、携帯端末１２０により被介護者が呼んでいる旨の通知が介護者に対して行われる。
【０００６】
部屋１１０にいる被介護者がコール機１１６の受話器を手に取ったりスイッチ１１８を押したりすると、被介護者が部屋１１０で呼んでいるという情報が主装置１４０を介して表示板１３２に伝達され、この表示板１３２に表示される。このことにより、事務室１３０で待機している介護者は部屋１１０に移動して被介護者と話すことができるようになる。また、この際に、事務室１３０で待機している介護者は電話機１３６により部屋１１０にいる被介護者と話をしてもよい。
【０００７】
しかしながら、図１０に示すような従来の介護施設では、主装置１４０を用いているため、各部屋１１０や事務室１３０と主装置１４０との間でＬＡＮケーブルを配設しなければならず、ＬＡＮケーブルの配置が複雑になってしまうという問題がある。とりわけ、従来の介護施設では電話システムとナースコールシステムとは異なるメーカーの製品である場合があり、この場合には各システムの主装置も異なるようになる。例えば、事務室１３０に設けられる表示板１３２はナースコールシステムのものであるのに対し、電話機１３６は電話システムのものであり、事務室１３０に設置される備品でもシステムが異なるものとなってしまう。従来の電話システムやナースコールシステムでは、電話用の通信ケーブル等が主に使用されるアナログなシステムとなる。この方式ではデジタルなシステムと比較して情報量が少なく、またＩＰ通信ではないため、大容量の情報の送受信を行うことができず、また配線も複雑になるという問題がある。また、図１０に示すような従来の介護施設では業務が効率化されていないという問題がある。
【０００８】
また、特許文献１には、施設内の要介護者の介護データを適切に利用するとともに、業務の効率化を通じて集合住宅などの施設全体のサービスおよび質の向上を実現する施設内介護データ管理システムが開示されている。
【先行技術文献】
【特許文献】
【０００９】
【特許文献１】特開２００６−２７７０４９号公報
【発明の概要】
【発明が解決しようとする課題】
【００１０】
しかしながら、特許文献１に開示される介護データ管理システムでは十分な業務の効率化が図れていないという問題がある。
【００１１】
本発明は、このような点を考慮してなされたものであり、所定期間内の介護計画を自動的に作成することにより介護を支援することができ、よって業務の効率を向上させることができる介護システム、介護計画作成方法およびプログラムを提供することを目的とする。
【課題を解決するための手段】
【００１２】
本発明の介護システムは、所定期間内で被介護者の介護を行う介護者の識別情報および介護される被介護者の識別情報を受け付ける識別情報受付手段と、前記識別情報受付手段により受け付けられた介護者の識別情報および被介護者の識別情報に基づいて前記所定期間内の介護計画を自動的に作成する作成手段と、作成された前記所定期間内の介護計画を出力する出力手段と、各々の介護者により被介護者に対して行われた前記所定期間内の実際の介護内容に係る情報を受け付ける介護内容受付手段と、前記作成手段により作成された前記所定期間内の介護計画と、前記介護内容受付手段により受け付けられた前記所定期間内の実際の介護内容との相関を点数として算出するスコアリング手段と、を備えたことを特徴とする。
【００１３】
本発明の介護システムは、各々の介護者による被介護者に対する介護履歴を記憶する記憶部を更に備え、前記作成手段は、前記記憶部に記憶されている、各々の介護者による被介護者に対する介護履歴も参照して、前記所定期間内の介護計画を自動的に作成してもよい。
【００１４】
この場合、前記介護履歴は、所定の業務について介護にかかった時間を含み、前記作成手段は、前記記憶部に記憶されている、所定の業務について各々の介護者による被介護者に対する介護にかかった時間も参照して、前記所定期間内の介護計画を自動的に作成してもよい。
【００１５】
本発明の介護システムは、被介護者の状態に係る情報を受け付ける状態受付手段を更に備え、前記作成手段は、前記状態受付手段により受け付けられた被介護者の状態に係る情報も参照して、前記所定期間内の介護計画を自動的に作成してもよい。
【００１６】
本発明の介護システムは、介護者の力量に係る情報を受け付ける力量受付手段を更に備え、前記作成手段は、前記力量受付手段により受け付けられた介護者の力量に係る情報も参照して、前記所定期間内の介護計画を自動的に作成してもよい。
【００１８】
この場合、本発明の介護システムは、所定期間内で被介護者の介護を行う介護者の識別情報、介護される被介護者の識別情報、前記作成手段により作成された介護計画および前記スコアリング手段により算出された点数を含む教師データを用い、所定期間内で被介護者の介護を行う介護者の識別情報および介護される被介護者の識別情報を入力、介護計画を出力とする学習済モデルを機械学習により生成するモデル生成手段を更に備え、前記作成手段は、前記モデル生成手段により生成された学習済モデルを用いて、前記所定期間内の介護計画を自動的に作成してもよい。
【００１９】
本発明の介護システムは、所定期間内で被介護者の介護を行う介護者の人数に係る情報および介護される被介護者の人数に係る情報を受け付ける人数情報受付手段と、前記人数情報受付手段により受け付けられた介護者の人数および被介護者の人数に基づいて前記所定期間内の介護計画を自動的に作成する作成手段と、作成された前記所定期間内の介護計画を出力する出力手段と、各々の介護者により被介護者に対して行われた前記所定期間内の実際の介護内容に係る情報を受け付ける介護内容受付手段と、前記作成手段により作成された前記所定期間内の介護計画と、前記介護内容受付手段により受け付けられた前記所定期間内の実際の介護内容との相関を点数として算出するスコアリング手段と、を備えたことを特徴とする。
【００２０】
本発明の介護計画作成方法は、所定期間内で被介護者の介護を行う介護者の識別情報および介護される被介護者の識別情報を受け付けるステップと、受け付けられた介護者の識別情報および被介護者の識別情報に基づいて前記所定期間内の介護計画を自動的に作成するステップと、作成された前記所定期間内の介護計画を出力するステップと、各々の介護者により被介護者に対して行われた前記所定期間内の実際の介護内容に係る情報を受け付けるステップと、前記作成手段により作成された前記所定期間内の介護計画と、前記介護内容受付手段により受け付けられた前記所定期間内の実際の介護内容との相関を点数として算出するステップと、を備えたことを特徴とする。
【００２１】
本発明の介護計画作成方法は、所定期間内で被介護者の介護を行う介護者の人数に係る情報および介護される被介護者の人数に係る情報を受け付けるステップと、受け付けられた介護者の人数および被介護者の人数に基づいて前記所定期間内の介護計画を自動的に作成するステップと、作成された前記所定期間内の介護計画を出力するステップと、各々の介護者により被介護者に対して行われた前記所定期間内の実際の介護内容に係る情報を受け付けるステップと、前記作成手段により作成された前記所定期間内の介護計画と、前記介護内容受付手段により受け付けられた前記所定期間内の実際の介護内容との相関を点数として算出するステップと、を備えたことを特徴とする。
【００２２】
本発明のプログラムは、コンピュータの制御部により実行されるプログラムであって、前記制御部がプログラムを実行することにより、所定期間内で被介護者の介護を行う介護者の識別情報および介護される被介護者の識別情報を受け付け、受け付けられた介護者の識別情報および被介護者の識別情報に基づいて前記所定期間内の介護計画を自動的に作成し、作成された前記所定期間内の介護計画を出力し、各々の介護者により被介護者に対して行われた前記所定期間内の実際の介護内容に係る情報を受け付け、前記作成手段により作成された前記所定期間内の介護計画と、前記介護内容受付手段により受け付けられた前記所定期間内の実際の介護内容との相関を点数として算出する、ことを特徴とする。
【００２３】
本発明のプログラムは、コンピュータの制御部により実行されるプログラムであって、前記制御部がプログラムを実行することにより、所定期間内で被介護者の介護を行う介護者の人数に係る情報および介護される被介護者の人数に係る情報を受け付け、受け付けられた介護者の人数および被介護者の人数に基づいて前記所定期間内の介護計画を自動的に作成し、作成された前記所定期間内の介護計画を出力し、各々の介護者により被介護者に対して行われた前記所定期間内の実際の介護内容に係る情報を受け付け、前記作成手段により作成された前記所定期間内の介護計画と、前記介護内容受付手段により受け付けられた前記所定期間内の実際の介護内容との相関を点数として算出することを特徴とする。
【発明の効果】
【００２４】
本発明の介護システム、介護計画作成方法およびプログラムによれば、所定期間内の介護計画を自動的に作成することにより介護を支援することができ、よって業務の効率を向上させることができる。
【図面の簡単な説明】
【００２５】
【図１】本発明の実施の形態による介護システムが設置される介護施設の全体構成を概略的に示す概略図である。
【図２】図１に示す介護システムにおける事務室に設置されるコンピュータの構成の一例を示す構成図である。
【図３】介護者の携帯端末の表示画面を示す図である。
【図４】コンピュータの記憶部に記憶される、各々の介護者による被介護者に対する食事介助の介護履歴を示す表である。
【図５】コンピュータの記憶部に記憶される、各々の介護者による被介護者に対する入浴介助の介護履歴を示す表である。
【図６】コンピュータの作成手段により作成される介護計画を示す図である。
【図７】作成手段により作成された介護計画と、実際の介護内容との相関を示す図である。
【図８】コンピュータのモデル生成手段により学習済モデルを生成する構成を示す図である。
【図９】図１に示す介護システムにおける事務室に設置されるコンピュータの構成の他の実施の形態を示す構成図である。
【図１０】従来の介護システムが設置される介護施設の全体構成を概略的に示す概略図である。
【発明を実施するための形態】
【００２６】
以下、図面を参照して本発明の実施の形態について説明する。図１乃至図８は、本実施の形態に係る介護システムを示す図である。
【００２７】
図１は、本実施の形態による介護システムが設置される介護施設の全体構成を概略的に示す概略図である。介護施設は、利用者である被介護者の部屋１０と、事務室３０とに区画されており、部屋１０には、ドアライト１４、コール機１６、スイッチ１８等が設置されている。これらのドアライト１４、コール機１６、スイッチ１８等はルーター１２に接続されており、このルーター１２は無線によりネットワークシステム４０に通信可能に接続されている。また、事務室３０には表示板３２、コンピュータ３４、電話機３６およびスピーカー３８等が設置されている。これらの表示板３２、コンピュータ３４、電話機３６およびスピーカー３８等は無線によりネットワークシステム４０に通信可能に接続されている。また、介護施設では介護職員等の介護者がスマートフォン、タブレットＰＣ等の携帯端末２０を常に所持するようになっている。また、介護施設内には複数のＷｉｆｉルーター２２等が設置されており、介護者が所持する携帯端末２０はＷｉｆｉルーター２２を介してネットワークシステム４０に通信可能に接続されている。また、ネットワークシステム４０はコールシステムの専用サーバ５０に無線により通信可能に接続されており、専用サーバ５０を介してネットワークシステム４０から介護施設の外部にある管理システム等に様々な情報を送信したり管理システム等から様々な情報を受信したりすることができるようになっている。以下、このような介護システムの構成の詳細について説明する。
【００２８】
利用者である被介護者の部屋１０において、ドアライト１４は部屋１０のドア等を照射するようになっている。このようなドアライト１４のスイッチのオン／オフの切換はネットワークシステム４０を介して遠隔で行うことができるようになっている。また、ドアライト１４のオン／オフの切換が被介護者によって行われると、オン／オフの切換が行われたという情報がネットワークシステム４０を介してコンピュータ３４に送られる。また、部屋１０にいる被介護者はコール機１６によって、ネットワークシステム４０を介して、携帯端末２０を操作する介護者や事務室３０で電話機３６を操作する介護者と通話を行うことができるようになっている。また、コンピュータ３４に通話ソフトがインストールされている場合には、介護者はコンピュータ３４を用いてネットワークシステム４０を介して、部屋１０でコール機１６を操作する被介護者と通話を行うことができる。また、部屋１０にいる被介護者がスイッチ１８を押すと、被介護者が部屋１０で呼んでいるという情報がネットワークシステム４０を介して表示板３２やコンピュータ３４、スピーカー３８等に伝達される。このことにより、被介護者が部屋１０で呼んでいるという情報が表示板３２やコンピュータ３４に表示されたり、スピーカー３８によって音声により介護者に伝達されたりする。また、被介護者が部屋１０で呼んでいるという情報が、ネットワークシステム４０を介して、介護者が所持する携帯端末２０に伝達されると、この情報が携帯端末２０にも表示される。
【００２９】
上述したように、介護施設内では、介護職員である介護者は常にスマートフォン、タブレットＰＣ等の携帯端末２０を常に所持するようになっており、被介護者がコール機１６で介護者を呼んだりスイッチ１８を押したりすると、携帯端末２０には被介護者が呼んでいる旨の表示がなされたり音声が出されたりする。また、携帯端末２０には、後述するコンピュータ３４により作成された介護計画を表示させることができるようになっている。このことにより、携帯端末２０を所持する介護者は、この携帯端末２０に表示される介護計画を見ながら被介護者の介護を行うことができる。また、介護者は携帯端末２０により介護施設内でグループ単位での放送や全体での放送を行うことができるようになっている。また、介護者は携帯端末２０により実際に行った介護内容に係る情報を入力することができるようになっている。携帯端末２０に入力された介護内容はネットワークシステム４０を介してコンピュータ３４等に送られるようになっている。このような動作の詳細については後述する。
【００３０】
部屋１０にいる被介護者がコール機１６の受話器を手に取ったりスイッチ１８を押したりすると、被介護者が部屋１０で呼んでいるという情報がネットワークシステム４０を介して表示板３２に伝達され、この表示板３２に表示される。また、被介護者が部屋１０で呼んでいるという情報がスピーカー３８により音声で事務室３０内に報知される。このことにより、事務室３０で待機している介護者は部屋１０に移動して被介護者と話すことができるようになる。また、この際に、事務室３０で待機している介護者は電話機３６により部屋１０にいる被介護者と話をしてもよい。また、部屋１０にいる被介護者がコール機１６の受話器を手に取ったりスイッチ１８を押したりすると、被介護者が部屋１０で呼んでいるという情報がネットワークシステム４０を介してコンピュータ３４に伝達され、このコンピュータ３４の記憶部７４（後述）に履歴が記憶される。
【００３１】
コンピュータ３４の構成について図２を用いて説明する。コンピュータ３４は、ＣＰＵ等の制御部６０と、モニタ等の表示部７０と、キーボードやマウス等の操作部７２と、ＲＯＭ（不揮発性メモリ）やＲＡＭ（揮発性メモリ）等の記憶部７４と、通信インターフェース７６とを備えている。制御部６０は通信インターフェース７６を介してネットワークシステム４０に対して情報の送受信を行うことができるようになっている。また、図２に示すように、制御部６０は、識別情報受付手段６１と、状態受付手段６２と、力量受付手段６３と、作成手段６４と、出力手段６５と、介護内容受付手段６６と、スコアリング手段６７とを含んでおり、これらの各手段により介護計画を自動で作成することができるようになっている。これらの各手段の機能等の詳細については後述する。
【００３２】
本実施の形態による介護システムには様々な特徴がある。具体的には、介護者が介護内容を帳票に記入したり報告書を作成したりする手間を省いたり、被介護者によるドアライト１４、コール機１６、スイッチ１８等の操作内容を自動で記録したり、介護計画を自動で作成したりすることができるようになる。
【００３３】
まず、介護者が現場で介護業務を行いながら報告書を自動で作成する動作について説明する。介護者が現場で被介護者の介護を行う際に、介護者が携帯する携帯端末２０に図３（ａ）に示すような画面を表示させることができる。そして、図３（ａ）に示すような画面で被介護者を選択すると、携帯端末２０には図３（ｂ）に示すような介護内容の選択画面が表示される。図３（ｂ）に示すような介護内容の選択画面では、「排泄」「おむつ交換」「その他」といった介護内容の中から一つを選択し、さらに各介護内容の項目において対応内容（例えば、排泄の場合は「排尿」「排便」）を選択する。そして、「排尿」「排便」といった対応内容の各々において、携帯端末２０によって、排尿量や排便量を「少ない」「普通」「多い」の中から選択することができるようになる。このように、図３（ｂ）に示すような携帯端末２０の介護内容の選択画面では、複数の質問が段階的に表示され、表示された質問に順番に答えることにより、介護者は介護内容の詳細を携帯端末２０により入力することができるようになる。介護者によって携帯端末２０に介護内容が入力されると、介護者の識別情報（例えば、職員番号）、入力された介護内容および入力日時に係る情報が携帯端末２０からネットワークシステム４０を介してコンピュータ３４や専用サーバ５０に送信される。このことにより、コンピュータ３４の記憶部７４には、介護者の識別情報、入力された介護内容および入力日時に係る情報が記憶される。また、介護内容受付手段６６は、各々の介護者により被介護者に対して行われた実際の介護内容に係る情報を受け付ける。
【００３４】
また、コンピュータ３４の制御部６０は、介護内容受付手段６６により受け付けられた情報や、記憶部７４に記憶されている情報に基づいて、実際の介護内容に係る報告書（日報）を自動で作成する。このような報告書は従来では介護者が一日の介護業務の間または介護業務の後に手書きで作成しており、介護者にとっての負担が大きかった。これに対し、本実施の形態では、コンピュータ３４が報告書を自動で作成してくれるため、介護者の負担を大幅に減らすことができる。実際のところ、介護現場では、このような報告書を介護者が手書きで作成するのにかかる時間が膨大であり、介護者が多忙の場合には実際に行った介護内容の記録を残すことができない場合があった。これに対し、本実施の形態では、介護者は携帯端末２０で介護内容を入力するだけで、コンピュータ３４が報告書を自動で作成してくれるため、介護内容の記録が残っていない等のトラブルを未然に防止することができるようになる。また、介護者による携帯端末２０への介護内容の入力内容により、コンピュータ３４は関連のある複数帳票も自動的に作成するようになっている。具体的には、介護者が携帯端末２０に排便介助を行った旨の情報を入力した場合には、個人別の排便管理表、介護対応記録および介護者日報という３つの帳票がコンピュータ３４により自動的に作成されるようになる。ここで、介護施設によって排便管理表等の帳票の種類が異なるため、介護施設の管理者や介護者は帳票の種類を自由に増やすことができるようになっている。なお、コンピュータ３４ではなく携帯端末２０自体がこのような関連のある複数帳票を自動的に作成するようになっていてもよい。
【００３５】
また、制御部６０は、記憶部７４に記憶されている内容に基づいて、介護施設全体での介護に係る統計を自動で作成することができる。具体的には、コール機１６やスイッチ１８により被介護者が介護者を呼んだ合計回数、コール機１６やスイッチ１８により被介護者が介護者を呼んだ時間帯、被介護者毎の介護内容、被介護者全員の介護内容、介護内容のランキング、コール機１６やスイッチ１８により介護者を呼んだ回数が多い被介護者のランキング、コール機１６やスイッチ１８により被介護者に呼ばれた回数が多い介護者のランキング等のデータを制御部６０は自動で作成することができる。
【００３６】
次に、被介護者によるドアライト１４、コール機１６、スイッチ１８等の操作内容を自動で記録する動作について説明する。被介護者によりドアライト１４、コール機１６、スイッチ１８等が操作されると、ドアライト１４、コール機１６、スイッチ１８等が操作されたという情報がネットワークシステム４０を介してコンピュータ３４に送られる。そして、この情報はコンピュータ３４の記憶部７４に記憶される。また、介護者が被介護者の健康状態を点検する際に体温計、血圧計、心拍計、部屋１０の温度計、部屋１０の湿度計、カメラ等が用いられるが、これらの計測機器による計測結果に係る情報もネットワークシステム４０を介してコンピュータ３４に送信されるようになっていてもよい。この場合には、計測機器による計測結果に係る情報がコンピュータ３４の記憶部７４に記憶される。このように、本実施の形態では、被介護者の健康状態や動作内容を全て記憶部７４に記憶させることによってコンピュータ３４により管理することができる。
【００３７】
また、本実施の形態では、コンピュータ３４により介護計画を自動で作成することができるようになっている。介護計画の作成方法について以下に説明する。なお、以下に示すような介護計画作成方法は、コンピュータ３４において記憶部７４に記憶されているプログラムを制御部６０が実行することにより行われるようになっている。
【００３８】
まず、所定期間内（例えば、所定の年月日の朝から夜まで）で被介護者の介護を行う介護者の識別情報（例えば、職員番号）および介護される被介護者の識別情報（例えば、利用者番号）がコンピュータ３４の制御部６０に入力される。具体的には、介護施設の管理者が、キーボードやマウス等の操作部７２により介護者の識別情報および被介護者の識別情報を入力する。あるいは、被介護者の識別情報が記憶部７４に記憶されており、この記憶部７４に記憶されている情報が制御部６０により読み出されるようになっていてもよい。また、各介護者が勤務しているかどうかをチェックする勤怠管理システム（図示せず）がコンピュータ３４に接続されており、勤怠管理システムから送信された情報に基づいて介護者の識別情報が制御部６０に入力されてもよい。このようにして制御部６０に入力された介護者の識別情報および被介護者の識別情報は、識別情報受付手段６１により受け付けられる。
【００３９】
そして、作成手段６４は、識別情報受付手段６１により受け付けられた介護者の識別情報および被介護者の識別情報に基づいて、所定期間内の介護計画を自動的に作成する。作成手段６４により作成された介護計画を図６に示す。図６に示すように、介護計画には、被介護者Ａ、Ｂ、Ｃ、Ｄ毎に、その日に出勤している介護者Ｘ、Ｙ、Ｚのうちどの介護者がどの介護内容をどの時間帯で担当するかという情報が含まれる。なお、介護計画により介護計画が作成される被介護者Ａ、Ｂ、Ｃ、Ｄは、識別情報受付手段６１により受け付けられた被介護者の識別情報に基づいて決められる。また、介護計画において介護を行う介護者Ｘ、Ｙ、Ｚは、識別情報受付手段６１により受け付けられた介護者の識別情報に基づいて決められる。作成手段６４により作成された介護計画は出力手段６５により出力される。出力手段６５により出力された介護計画は、コンピュータ３４のモニタ等の表示部７０に表示されたり、記憶部７４に記憶されたり、通信インターフェース７６を介してネットワークシステム４０に送られたりする。ネットワークシステム４０に送られた介護計画に係る情報は、介護者が所持する携帯端末２０に送信される。このことにより、介護者は携帯端末２０に介護計画を表示させることができるようになり、事務室３０に行かなくても介護計画を確認することができるようになる。また、ネットワークシステム４０に送られた介護計画に係る情報は、専用サーバ５０により介護施設の外部にある管理システム等にも送信される。
【００４０】
また、本実施の形態では、作成手段６４が介護計画を作成するにあたり、様々な情報を参照して所定期間内の介護計画を作成することができるようになっている。具体的には、例えば、各々の介護者による被介護者に対する介護履歴を参照して、作成手段６４が介護計画を自動で作成してもよい。より詳細には、記憶部７４には、各々の介護者による被介護者に対する介護履歴が記憶されている。具体的には、図４および図５に示すように、介護内容（例えば、食事介助や入浴介護）毎に、各々の介護者Ｘ、Ｙ、Ｚによる被介護者Ａ、Ｂ、Ｃ、Ｄに対する介護にかかった時間が記憶部７４に記憶されている。なお、介護内容によって介護者の負担は異なる。例えば、入浴介助は食事介助よりも負担が大きい。
【００４１】
そして、作成手段６４は、記憶部７４に記憶されている、所定の業務についての各々の介護者による被介護者に対する介護にかかった時間も参照して、所定期間内の介護計画を自動的に作成する。具体的には、各介護内容についてある介護者がある被介護者に対して介護を行う際に時間がかかる場合は、介護計画においてこの介護内容を行う時間を比較的長めとなる。また、ある介護者が各被介護者に対して介護を行う際にかかる時間が短い場合には、各介護内容についてこの介護者は他の介護者よりも多くの被介護者を担当するよう介護計画が作成される。
【００４２】
なお、記憶部７４に記憶される、各々の介護者による被介護者に対する介護履歴は、各々の介護者による被介護者に対する介護にかかった時間に限定されることはない。各々の介護者による被介護者に対する介護履歴として、各々の介護者に対する被介護者の満足度や相性、介護者の負担の度合い等が用いられてもよい。また、記憶部７４に記憶される、各々の介護者による被介護者に対する介護履歴は、介護施設の管理者が操作部７２により入力することにより記憶部７４に記憶されるようになっている。また、記憶部７４に記憶される、各々の介護者による被介護者に対する介護履歴は、介護者が被介護者に対して実際に介護を行った後にこの介護者が所持する携帯端末２０により入力された介護内容や入力日時等に基づいて設定されたり更新されたりするようになっていてもよい。
【００４３】
また、本実施の形態では、作成手段６４が介護計画を作成するにあたり、被介護者の状態を参照して、作成手段６４が介護計画を自動で作成してもよい。具体的には、例えば介護施設の管理者や介護者はコンピュータ３４において操作部７２により被介護者の状態（例えば、被介護者の年齢、性別、体調、病気の有無、病気の内容、特異事項）等を入力する。このことにより、記憶部７４には、被介護者の状態に係る情報が記憶される。また、本実施の形態では、状態受付手段６２は、操作部７２により入力された情報や記憶部７４に記憶されている情報に基づいて、被介護者の状態に係る情報を受け付ける。そして、作成手段６４は、状態受付手段６２により受け付けられた被介護者の状態に係る情報も参照して、介護計画を自動で作成する。具体的には、例えばある被介護者の体調が悪い場合には、介護計画においてこの被介護者の介護にかかる時間は他の被介護者の介護にかかる時間よりも長くなる。
【００４４】
また、本実施の形態では、作成手段６４が介護計画を作成するにあたり、介護者の力量を参照して、作成手段６４が介護計画を自動で作成してもよい。具体的には、例えば介護施設の管理者はコンピュータ３４において操作部７２により介護者の力量等を入力する。このような介護者の力量として、介護者の年齢、性別、体力、経験、資格等が挙げられる。このことにより、記憶部７４には、介護者の力量に係る情報が記憶される。また、本実施の形態では、力量受付手段６３は、操作部７２により入力された情報や記憶部７４に記憶されている情報に基づいて、介護者の力量に係る情報を受け付ける。そして、作成手段６４は、力量受付手段６３により受け付けられた介護者の力量に係る情報も参照して、介護計画を自動で作成する。具体的には、例えばある介護者の力量が他の介護者の力量よりも優れる場合には、介護計画においてこの介護者が介護を行う時間は他の介護者が介護を行う時間よりも短くなる。
【００４５】
上記の説明では、作成手段６４が介護計画を作成するにあたり、各々の介護者による被介護者に対する介護履歴（例えば、所定の業務について介護にかかった時間）、被介護者の状態または介護者の力量も参照して所定期間内の介護計画を自動的に作成する方法について述べたが、作成手段６４は上記の全ての要素を参照して所定期間内の介護計画を作成してもよいし、あるいは作成手段６４は上記の全ての要素のうち一部のみを参照して所定期間内の介護計画を作成してもよい。また、更に別の態様では、作成手段６４は上記の要素を参照しないで、所定期間内の介護計画を作成してもよい。言い換えると、作成手段６４は、識別情報受付手段６１により受け付けられた介護者の識別情報および被介護者の識別情報のみに基づいて所定期間内の介護計画を作成してもよい。
【００４６】
また、本実施の形態では、作成手段６４により作成された介護計画と、実際の介護内容との相関を点数として算出することができるようになっている。具体的には、上述したように、介護者によって携帯端末２０に介護内容が入力されると、介護者の識別情報（例えば、職員番号）、入力された介護内容および入力日時に係る情報が携帯端末２０からネットワークシステム４０を介してコンピュータ３４に送信される。また、介護者はコンピュータ３４の操作部７２により実際に行った介護内容を入力してもよい。このことにより、介護内容受付手段６６は、各々の介護者により被介護者に対して行われた実際の介護内容に係る情報を受け付ける。そして、図７に示すように、スコアリング手段６７は、作成手段により作成された介護計画と、介護内容受付手段６６により受け付けられた実際の介護内容との間の相関係数を算出する。作成手段により作成された介護計画と、介護内容受付手段６６により受け付けられた実際の介護内容とが全く一致する場合には、相関係数は１となり、実際の介護内容が介護計画から乖離すればするほど相関係数は低くなる。このようにして、スコアリング手段６７は、作成手段６４により作成された介護計画と、介護内容受付手段６６により受け付けられた実際の介護内容との相関を点数として算出する。また、算出された点数は、コンピュータ３４のモニタ等の表示部７０に表示されたり、記憶部７４に記憶されたり、通信インターフェース７６を介してネットワークシステム４０に送られたりする。スコアリング手段６７により算出された点数が低い場合には、作成手段６４により作成された介護計画と、介護内容受付手段６６により受け付けられた実際の介護内容との間にずれがあるため、介護者による被介護者に対する介護の内容の見直し等が行われるようになる。
【００４７】
また、本実施の形態では、作成手段６４は、機械学習により生成された学習済モデルを用いて、所定期間内の介護計画を自動的に作成してもよい。具体的には、図８に示すように、制御部６０は、教師データ８０に基づいて学習済モデル８４を作成するモデル生成手段８２を有している。そして、作成手段６４は、モデル生成手段８２により生成された学習済モデル８４に、識別情報受付手段６１により受け付けられた介護者の識別情報および被介護者の識別情報を入力することにより介護計画を作成し、作成された介護計画は出力手段６５により出力される。
【００４８】
ここで、モデル生成手段８２により学習済モデル８４が予め生成されている。具体的には、モデル生成手段８２は、介護者の識別情報、被介護者の識別情報、介護計画およびスコアリング手段６７により算出された点数を含む教師データ８０を用い、介護者の識別情報および被介護者の識別情報を入力、介護計画を出力とする学習済モデル８４を機械学習により生成するようになっている。モデル生成手段８２は、例えばニューラルネットワークから構成されている。このようなニューラルネットワークは、介護者の識別情報、被介護者の識別情報、介護計画およびスコアリング手段６７により算出された点数を含む教師データ８０が入力される入力層と、学習済モデル８４を出力する出力層と、教師データ８０を用いてパラメータが学習された中間層とを有している。そして、このようなニューラルネットワークでは、教師データ８０が入力層に入力されると、中間層にて演算し、出力層により学習済モデル８４を出力するようになる。このようなニューラルネットワークとして既知のものを用いることができる。このようなモデル生成手段８２により生成された学習済モデル８４を用いることにより、実際の介護内容との相関係数がより高くなるような介護計画を作成することができるようになる。
【００４９】
以上のような構成からなる本実施の形態の介護システムおよび介護計画作成方法によれば、所定期間内で被介護者の介護を行う介護者の識別情報および介護される被介護者の識別情報を識別情報受付手段６１により受け付け、この受け付けられた介護者の識別情報および被介護者の識別情報に基づいて所定期間内の介護計画を作成手段６４により自動的に作成し、作成された所定期間内の介護計画を出力手段５４により出力するようになっている。このことにより、介護施設の管理者等が所定期間内の介護計画を作成する手間を省略することができ、よって介護施設における業務の効率化を図ることができるようになる。
【００５０】
また、本実施の形態の介護システムおよび介護計画作成方法においては、上述したように、各々の介護者による被介護者に対する介護履歴が記憶部７４に記憶されており、作成手段６４は、記憶部７４に記憶されている、各々の介護者による被介護者に対する介護履歴も参照して、所定期間内の介護計画を自動的に作成してもよい。この場合には、介護計画を作成するにあたり各々の介護者による被介護者に対する介護履歴も参照されるため、より実際の介護業務に適した介護計画を作成することができるようになる。また、介護履歴は、所定の業務について介護にかかった時間を含み、作成手段６４は、記憶部７４に記憶されている、所定の業務について各々の介護者による被介護者に対する介護にかかった時間も参照して、所定期間内の介護計画を自動的に作成してもよい。
【００５１】
また、本実施の形態の介護システムおよび介護計画作成方法においては、上述したように、被介護者の状態に係る情報が状態受付手段６２により受け付けられ、作成手段６４は、状態受付手段６２により受け付けられた被介護者の状態に係る情報も参照して、所定期間内の介護計画を自動的に作成してもよい。この場合には、介護計画を作成するにあたり被介護者の状態も参照されるため、より実際の介護業務に適した介護計画を作成することができるようになる。
【００５２】
また、本実施の形態の介護システムおよび介護計画作成方法においては、上述したように、介護者の力量に係る情報が力量受付手段６３により受け付けられ、作成手段６４は、力量受付手段６３により受け付けられた介護者の力量に係る情報も参照して、所定期間内の介護計画を自動的に作成してもよい。この場合には、介護計画を作成するにあたり介護者の力量も参照されるため、より実際の介護業務に適した介護計画を作成することができるようになる。
【００５３】
また、本実施の形態の介護システムおよび介護計画作成方法においては、上述したように、各々の介護者により被介護者に対して行われた実際の介護内容に係る情報が介護内容受付手段６６により受け付けられ、作成手段６４により作成された介護計画と、介護内容受付手段６６により受け付けられた実際の介護内容との相関がスコアリング手段６７により点数として算出される。このことにより、作成手段６４により作成された介護計画が適切であるか否かを介護施設の管理者等は判断することができるようになる。すなわち、スコアリング手段６７により算出された点数が低い場合には、作成手段６４により作成された介護計画が適切ではなかったか、または介護者による被介護者に対する実際の介護が適切ではなかったと判断される。
【００５４】
また、本実施の形態では、モデル生成手段８２は、所定期間内で被介護者の介護を行う介護者の識別情報および介護される被介護者の識別情報を入力、介護計画を出力とする学習済モデル８４を機械学習により生成する。この際に、モデル生成手段８２は、所定期間内で被介護者の介護を行う介護者の識別情報、介護される被介護者の識別情報、作成手段６４により作成された介護計画およびスコアリング手段６７により算出された点数を含む教師データ８０を用いる。そして、作成手段６４は、モデル生成手段８２により生成された学習済モデル８４を用いて、所定期間内の介護計画を自動的に作成する。この場合には、実際の介護内容との相関係数がより高くなるような、すなわちより実際の介護業務に適した介護計画を作成することができるようになる。
【００５５】
また、本実施の形態のプログラムは、コンピュータ３４の制御部６０により実行されるプログラムであって、制御部６０がプログラムを実行することにより、所定期間内で被介護者の介護を行う介護者の識別情報および介護される被介護者の識別情報を受け付け、受け付けられた介護者の識別情報および被介護者の識別情報に基づいて所定期間内の介護計画を自動的に作成し、作成された所定期間内の介護計画を出力するようになっている。このようなプログラムによれば、所定期間内の介護計画を自動的に作成することができるため、介護施設の管理者等が所定期間内の介護計画を作成する手間を省略することができ、よって介護施設における業務の効率化を図ることができるようになる。
【００５６】
なお、本発明による介護システムや介護計画作成方法は、上述したような態様に限定されることはなく、様々な変更を加えることができる。
【００５７】
例えば、他の実施の形態に係る介護システムでは、図９に示すようなコンピュータ３４ａが用いられてもよい。図９に示すコンピュータ３４ａは、ＣＰＵ等の制御部６０ａと、モニタ等の表示部７０と、キーボードやマウス等の操作部７２と、ＲＯＭ（不揮発性メモリ）やＲＡＭ（揮発性メモリ）等の記憶部７４と、通信インターフェース７６とを備えている。なお、表示部７０、操作部７２、記憶部７４および通信インターフェース７６については、図２に示すようなコンピュータ３４の表示部７０、操作部７２、記憶部７４および通信インターフェース７６と構成が略同一であるため説明を省略する。また、制御部６０ａは、人数情報受付手段６１ａと、状態受付手段６２ａと、力量受付手段６３ａと、作成手段６４ａと、出力手段６５ａと、介護内容受付手段６６ａと、スコアリング手段６７ａとを含んでおり、これらの各手段により介護計画を自動で作成することができるようになっている。すなわち、図２に示すようなコンピュータ３４の制御部６０と比較して、図９に示すようなコンピュータ３４ａの制御部６０ａは、識別情報受付手段６１の代わりに人数情報受付手段６１ａを有している。人数情報受付手段６１ａは、所定期間内で被介護者の介護を行う介護者の人数に係る情報および介護される被介護者の人数に係る情報を受け付けるようになっている。
【００５８】
具体的には、所定期間内（例えば、所定の年月日の朝から夜まで）で被介護者の介護を行う介護者の人数および介護される被介護者の人数がコンピュータ３４の制御部６０ａに入力される。より詳細には、介護施設の管理者が、キーボードやマウス等の操作部７２により介護者の人数および被介護者の人数を入力する。あるいは、被介護者の人数に係る情報が記憶部７４に記憶されており、この記憶部７４に記憶されている情報が制御部６０ａにより読み出されるようになっていてもよい。また、各介護者が勤務しているかどうかをチェックする勤怠管理システム（図示せず）がコンピュータ３４ａに接続されており、勤怠管理システムから送信された情報に基づいて介護者の人数が制御部６０ａに入力されてもよい。このようにして制御部６０ａに入力された介護者の人数および被介護者の人数は、人数情報受付手段６１ａにより受け付けられる。
【００５９】
そして、作成手段６４ａは、人数情報受付手段６１ａにより受け付けられた介護者の人数および被介護者の人数に基づいて所定期間内（例えば、朝から夜まで）の介護計画を自動的に作成する。作成手段６４ａにより作成された介護計画は、図２に示すようなコンピュータ３４の作成手段６４により作成された介護計画と同じようなものとなる。すなわち、作成手段６４ａにより作成された介護計画は図６に示すようなものとなる。作成手段６４ａにより作成された介護計画は出力手段６５ａにより出力される。出力手段６５ａにより出力された介護計画は、コンピュータ３４のモニタ等の表示部７０に表示されたり、記憶部７４に記憶されたり、通信インターフェース７６を介してネットワークシステム４０に送られたりする。ネットワークシステム４０に送られた介護計画に係る情報は、介護者が所持する携帯端末２０に送信される。このことにより、介護者は携帯端末２０に介護計画を表示させることができるようになり、事務室３０に行かなくても介護計画を確認することができるようになる。また、ネットワークシステム４０に送られた介護計画に係る情報は、専用サーバ５０により介護施設の外部にある管理システム等にも送信される。
【００６０】
なお、図９に示すコンピュータ３４ａの制御部６０ａの状態受付手段６２ａ、力量受付手段６３ａ、介護内容受付手段６６ａおよびスコアリング手段６７ａは、図２に示すコンピュータ３４の制御部６０の状態受付手段６２、力量受付手段６３、介護内容受付手段６６およびスコアリング手段６７と構成が略同一であるため説明を省略する。
【００６１】
図９に示すような他の実施の形態に係る介護システムおよび介護計画作成方法によれば、所定期間内で被介護者の介護を行う介護者の人数に係る情報および介護される被介護者の人数に係る情報を人数情報受付手段６１ａにより受け付け、この受け付けられた介護者の人数および被介護者の人数に基づいて所定期間内の介護計画を作成手段６４ａにより自動的に作成し、作成された所定期間内の介護計画を出力手段５４ａにより出力するようになっている。このことにより、図９に示すような他の実施の形態に係る介護システムおよび介護計画作成方法でも、介護施設の管理者等が所定期間内の介護計画を作成する手間を省略することができ、よって介護施設における業務の効率化を図ることができるようになる。
【００６２】
また、他の実施の形態に係るプログラムは、コンピュータ３４ａの制御部６０ａにより実行されるプログラムであって、制御部６０ａがプログラムを実行することにより、所定期間内で被介護者の介護を行う介護者の人数および介護される被介護者の人数を受け付け、受け付けられた介護者の人数および被介護者の人数に基づいて所定期間内の介護計画を自動的に作成し、作成された所定期間内の介護計画を出力するようになっている。このようなプログラムによれば、所定期間内の介護計画を自動的に作成することができるため、介護施設の管理者等が所定期間内の介護計画を作成する手間を省略することができ、よって介護施設における業務の効率化を図ることができるようになる。
【００６３】
また、本実施の形態の介護システムや介護計画作成方法は、介護施設内の部屋１０にいる被介護者に対して介護者が介護を行うものに限定されることはない。他の態様として、介護施設内の部屋１０ではなく自宅にいる被介護者に対して介護者が介護を行うものであってもよい。この場合には、図１に示すルーター１２、ドアライト１４、コール機１６およびスイッチ１８が被介護者の自宅に設置されるようになる。
【００６４】
また、本実施の形態の介護システムや介護計画作成方法は、介護施設に限定されることはない。介護施設以外の施設（例えば、病院施設）に、本実施の形態に係る介護システムや介護計画作成方法が適用されてもよい。
【符号の説明】
【００６５】
１０    部屋
１２    ルーター
１４    ドアライト
１６    コール機
１８    スイッチ
２０    携帯端末
２２    Ｗｉｆｉルーター
３０    事務室
３２    表示板
３４、３４ａ  コンピュータ
３６    電話機
３８    スピーカー
４０    ネットワークシステム
５０    専用サーバ
５４、５４ａ  出力手段
６０、６０ａ  制御部
６１    識別情報受付手段
６１ａ  人数情報受付手段
６２、６２ａ  状態受付手段
６３、６３ａ  力量受付手段
６４、６４ａ  作成手段
６５、６５ａ  出力手段
６６、６６ａ  介護内容受付手段
６７、６７ａ  スコアリング手段
７０    表示部
７２    操作部
７４    記憶部
７６    通信インターフェース
８０    教師データ
８２    モデル生成手段
８４    学習済モデル
１１０  部屋
１１２  ルーター
１１４  ドアライト
１１６  コール機
１１８  スイッチ
１２０  携帯端末
１２２  Ｗｉｆｉルーター
１３０  事務室
１３２  表示板
１３６  電話機
１４０  主装置
【要約】      （修正有）【課題】所定期間内の介護計画を自動的に作成することにより介護を支援することができ、よって業務の効率を向上させることができる介護システム、介護計画作成方法およびプログラムを提供する。【解決手段】介護システムにおいて、事務室に設置されるコンピュータは、所定期間内で被介護者の介護を行う介護者の識別情報および介護される被介護者の識別情報を受け付ける識別情報受付手段６１と、識別情報受付手段６１により受け付けられた介護者の識別情報および被介護者の識別情報に基づいて所定期間内の介護計画を自動的に作成する作成手段６４と、作成された所定期間内の介護計画を出力する出力手段６５とを備えている。【選択図】図２【図１】
0006853985.tif 000002
【図２】
0006853985.tif 000003
【図３】
0006853985.tif 000004
【図４】
0006853985.tif 000005
【図５】
0006853985.tif 000006
【図６】
0006853985.tif 000007
【図７】
0006853985.tif 000008
【図８】
0006853985.tif 000009
【図９】
0006853985.tif 000010
【図１０】
0006853985.tif 000011